(57)【要約】      （修正有）【課題】開閉後の溶剤形やエマルジョン形の接着剤や塗料の容器内の空気を抜き、簡単に密封して容器内の成分の品質保持と長期保存を可能にするための空気抜き具および密封方法を提供する。【解決手段】開閉済みの容器５に蓋をして容器の上部に千枚通し等で穴６をあけ、穴の手前に二つ折りにした粘着テープ８を粘着面が上を向いた状態で貼り付け、空気抜き具１を穴６と粘着テープ８をまたいだ所に置き、吸引装置の吸い込み口９を空気抜き具１にかぶせて容器内の空気を抜きながら横方向に移動させ粘着テープ８の粘着面を滑らせながら移動させて穴６をふさぎ容器を密封し、容器内の成分１０の品質保持と長期保存することを特徴とする空気抜き具と密封方法。【選択図】図６
2016043986.tif 000002
【特許請求の範囲】
【請求項１】
接着剤または塗料が収容された開閉済みの容器を、以下の各工程により容器内が減圧された状態で密封することを特徴とする容器の密封方法。
（１）  蓋が閉じられた前記容器の上面に穴を開ける。
（２）  前記穴の手前に、二つ折りした粘着テープを、粘着面が上を向いた状態で貼る。
（３）  筒状本体の一方の端部と中央部近くに穴を開けた平板状の物を接合し形成された空気抜き具を用意し、前記穴と空気抜き具の中空部がつながり、かつ平板状の物の一部が前記粘着テープにかぶさった状態で、前記容器の上面に配置する。
（４）  吸引装置の吸い込み口の中空部が、前記空気抜き具の中空部とつながった状態で、当吸引装置を駆動し、前記容器の穴から前記容器内の空気を吸引しながら前記空気抜き具を横方向に移動させ、前記粘着テープの折り曲げ位置をずらして前記容器の穴をふさぐ。
【請求項２】
前記粘着テープとして、耐溶剤性によい紙粘着シートを用いる、請求項１に記載の容器の密封方法。
【請求項３】
前記吸引装置として掃除機を用いる、請求項１または２に記載の容器の密封方法。
【請求項４】
前記空気抜き具として、筒状本体の一方の端部に、中央部近くに穴を開けた平板状の物に中空部をつなげて接合し形成された用具を用いる、請求項１から３のいずれか１項に記載の容器の密封方法。
【発明の詳細な説明】
【発明の詳細な説明】
【技術分野】
【０００１】  本発明は、接着剤や塗料の保存技術に関するもので、特に使いかけの溶剤形の接着剤や塗料の品質保持や長期保存するために容器内の空気を抜き減圧して密封するという技術を使う事により簡単かつ確実に出来る空気抜き具、および密封方法に関するものである。
【背景技術】
【０００２】  従来、溶剤形の接着剤、特に一液性のウレタン樹脂系溶剤形接着剤は一度開閉すると空気が容器の中に入り、接着剤の上部が一ヶ月から二ヶ月程度で硬化してしまう事が度々あった。【０００３】  このような場合、硬化してしまった接着剤は使い物にならない為、処分しなくては、ならない問題があった。【０００４】  従来、接着剤には、既存の蓋が付けられているが、容器内の空気を閉じ込めるだけで一度開閉すると容器内に空気が入ったままの状態で容器内の接着剤を硬化させてしまっていた。【０００５】  これまでに、考えられていた空気抜き具は、仕組みが複雑で使用に手間がかかるものや、たいそうなな装置が必要であった。
【先行技術文献】
【非特許文献】
【非特許文献１】特開２００１−３１５８２６
【非特許文献２】特開２００６−１４３２３０
【発明が解決しようとする課題】
【０００６】  本発明は、上記の従来の問題を解決し容器内の空気を簡単に抜き減圧し密封して容器内の物質の硬化をおくらせて、品質保持と長期保持が出来る空気抜き具および密封方法を提供する事にある。
【課題を解決するための手段】
【０００７】  本発明が上記課題を解決するために採用した手段を添付図面で参照して説明すれば次の通りである。
【０００８】  即ち、本発明は、開閉済み容器５の上部に、千枚通し等７で穴６をあけ、粘着面を外側にした二つ折りの粘着テープ８を穴６の手前に貼り付けて、本発明の空気抜き具１を粘着テープ８と穴６をまたいだ所に置き、吸引装置の吸い込み口９を、空気抜き具１にかぶせて容器のＣ方向に押し当てながら、容器内の空気を抜きながら横方向Ｄに移動し粘着テープ８で穴６をふさぎ容器を密封するという技術的手段を採用した。
【発明の効果】
【０００９】  本発明の空気抜き具１を使って容器を密封する事で、簡単に容器内の物質の品質保持と長期保存をする効果が得られた。
【図面の簡単な説明】
【００１０】
【図１ａ】  本発明の空気抜き具の構成を示す上部正面図である。
【図１ｂ】  本発明の空気抜き具の構成を示す側面透視図である。
【図２】  開閉した容器に蓋をして千枚通し等で穴をあけているところ斜視図である。
【図３】  開閉した容器に、開けた穴の手前に二つ折にした粘着テープを粘着面が上を向いた状態で貼り付けた斜視図である。
【図４】  本発明の空気抜き具を、折り曲げた粘着テープと穴をまたいだ中央部に置いたところの斜視図である。
【図５】  本考案空気抜き具に吸引装置の吸い込み口をかぶせて容器内の空気を吸ているところの斜視図である。
【図６】  図５の拡大側面透視図である。
【図７】  本考案の空気抜き具で容器内の空気を抜きながらＣ方向に押し付けＤ方向に引き寄せて粘着テープを滑らして穴をふさぎ、進んでいるところの拡大側面透視図である。
【図８】  本考案の空気抜き具で容器の空気を抜き減圧された容器の穴を粘着テープでふさぎ終わったところの拡大側面透視図である。
【発明を実施するための形態】
【００１１】  本発明を実施するにあたり、平板状の物の粘着テープに接する面は、少し凹凸が有る方がテープの粘着面に付きにくく滑りやすい、また、粘着テープ８は紙粘着シートを用いる方がビニールやナイロン系の物より長持ちするので良い。
【００１２】本発明を実施するにあたり容器の空気が抜ける程度の目安としては容器５の側面が内側に引き寄せられる様に凹むので、それを確認してから空気抜き具にかぶせた吸引装置の吸い込み口を横横方向に移動させて粘着面を滑らしながら移動させて粘着テープ８で穴６をふさぐのが良い。
【実施例】
【００１３】  本発明の空気抜き具で、開閉済み容器のウレタン樹脂系接着剤の空気を抜き密封し５ヶ月後に開封したところ成分に変化もなく、通常どおりに使用できた。
【産業上の利用可能性】
【００１４】  今までは使いかけの接着剤や塗料を、そのまま長期間置いておくと、品質が悪くなり廃棄処分する事もあったが、本発明の空気抜き具で密封することで容器内の成分の変化も最小限にして品質保持と長期保存が可能になり、今までなら悪くなって処分していた接着剤などが最後まで使える事で、廃棄物が減り、資源節約にも期待される。
【符号の説明】
【００１５】  １    筒状の本体２と平板状の物３を接合した空気抜き具
２    筒状の本体
３    中央部近くに穴を開けた平板状の物
４    空気抜き具の貫通した穴部
５    蓋をした開閉済みの容器
５ａ  容器の蓋
６    穴
７    千枚通し等
８    粘着テープ
９    吸引装置の吸い込み口
１０  容器内の使いかけの接着剤や塗料等
【図１ａ】
2016043986.tif 000003
【図１ｂ】
2016043986.tif 000004
【図２】
2016043986.tif 000005
【図３】
2016043986.tif 000006
【図４】
2016043986.tif 000007
【図５】
2016043986.tif 000008
【図６】
2016043986.tif 000009
【図７】
2016043986.tif 000010
【図８】
2016043986.tif 000011